(57)【要約】  【課題】  メニュー画面を表示した後、再び続きから再生したい場合に、ユーザが関係のない誤操作を行うようなことを防止したり、本編再生中などにメニューキーを間違って押下してしまった場合でも、容易に復帰できるようにする光ディスク再生装置を提供する。  【解決手段】  メニューキーを押下すると、レジューム再生するというメッセージ「メニューキーを押し下げて続きから再生を開始します。」がメニュー画面３１に表示されるので、再び続きから再生したい場合に、ユーザは再度メニューキーを押下すれば、レジューム再生に入るということが分かり、これにより、ユーザが関係のない誤操作を行うようなことがなくなり、また、本編再生中などにメニューキーを間違って押下してしまった場合でも容易に復帰でき、したがって、光ディスク再生装置の操作性が向上する。【選択図】      図３
2005203060.tif 000002
【特許請求の範囲】
【請求項１】
光ディスクに記録された情報を再生する光ディスク再生装置において、光ディスクに対
する本編情報の再生開始前に、ディスク情報に含まれるナビゲーションパック情報を取得
して解析し当該光ディスクはレジューム再生が可能であるか否かを判定するレジューム可
能判定手段と、前記レジューム再生が可能であると判定された場合にレジューム再生が可
能であることを示すレジューム可能情報を記憶手段に記憶させるレジューム可能情報記憶
処理手段と、本編再生中にメニューキーが押下されたときメニュー画面を表示手段に表示
させるメニュー画面表示処理手段と、前記メニューキーの押下の時に前記記憶手段に記憶
されたレジューム情報が有るか否かを判定するレジューム情報有無判定手段と、前記記憶
手段にレジューム可能情報が記憶されており当該光ディスクがレジューム再生可能な場合
で前記レジューム情報有無判定手段によりレジューム情報が有ると判定された場合に、メ
ニューキーの押下でレジューム再生するという内容のメッセージを前記メニュー画面に表
示させるメッセージ表示処理手段と、前記記憶手段にレジューム可能情報が記憶されてお
らず当該光ディスクがレジューム再生不可能な場合で前記レジューム情報有無判定手段に
よりレジューム情報が無いと判定された場合は、当該光ディスクはレジューム再生ができ
ないとして所定の処理を行うレジューム不可処理手段と、前記メッセージ表示処理手段に
より前記メニュー画面に前記メッセージが表示された後、前記メニューキーを押下すると
レジューム再生を実行させるレジューム再生手段とを有するシステムコントローラを備え
たことを特徴とする光ディスク再生装置。
【請求項２】
光ディスクに記録された情報を再生する光ディスク再生装置において、レジューム再生
が可能な光ディスクの本編再生中にメニューキーを押下した時に、メニューキーの押下で
レジューム再生するという内容のメッセージをメニュー画面に表示させる制御を行うシス
テムコントローラを備えたことを特徴とする光ディスク再生装置。
【請求項３】
前記レジューム再生が可能な光ディスクであるかの判定は、ディスク情報に含まれるナ
ビゲーションパック情報に基づいて行うことを特徴とする請求項２に記載の光ディスク再
生装置。
【請求項４】
前記システムコントローラは、光ディスクに対する本編情報の再生開始前に、ディスク
情報に含まれるナビゲーションパック情報を取得して解析し当該光ディスクはレジューム
再生が可能であるか否かを判定するレジューム可能判定手段と、前記レジューム再生が可
能であると判定された場合にレジューム再生が可能であることを示すレジューム可能情報
を記憶手段に記憶させるレジューム可能情報記憶処理手段と、本編再生中にメニューキー
が押下されたときメニュー画面を表示手段に表示させるメニュー画面表示処理手段と、前
記メニューキーの押下の時に前記記憶手段に記憶されたレジューム情報が有るか否かを判
定するレジューム情報有無判定手段と、前記記憶手段にレジューム可能情報が記憶されて
おり当該光ディスクがレジューム再生可能な場合で前記レジューム情報有無判定手段によ
りレジューム情報が有ると判定された場合に、メニューキーの押下でレジューム再生する
という内容のメッセージを前記メニュー画面に表示させるメッセージ表示処理手段と、こ
のメッセージ表示処理手段により前記メニュー画面に前記メッセージが表示された後、前
記メニューキーを押下するとレジューム再生を実行させるレジューム再生手段とを有する
ことを特徴とする請求項２に記載の光ディスク再生装置。
【請求項５】
前記システムコントローラは、前記記憶手段にレジューム可能情報が記憶されておらず
当該光ディスクがレジューム再生不可能な場合で前記レジューム情報有無判定手段により
レジューム情報が無いと判定された場合は、当該光ディスクはレジューム再生ができない
として所定の処理を行うレジューム不可処理手段を有することを特徴とする請求項４に記
載の光ディスク再生装置。
【発明の詳細な説明】
【技術分野】
【０００１】
本発明は、光ディスクに記録された情報を再生する光ディスク再生装置に関し、特に、
メニューキーの操作に関連する処理に関する。
【背景技術】
【０００２】
近年、光ディスクとしてＤＶＤ（デジタル・バーサタイル・ディスク）が普及してきて
いる。このようなＤＶＤには、ＭＰＥＧ２などによる画像データ圧縮技術やオーディオデ
ータ圧縮技術の採用により、様々な種類のデータが混在して格納されていると共に、各種
の機能を実現するための制御データ（ナビゲーションパック情報等）が格納されている。
【０００３】
ＤＶＤに例えば映画を記録する場合、通常はビデオデータとオーディオデータが記録さ
れるが、それ以外に複数の言語の字幕データを記録しておくことにより、ユーザが選択し
た言語の字幕を表示することが可能になる。また、映画監督や出演者のプロフィールなど
の静止画データも記録させておくことにより、ユーザの操作によって、それらのプロフィ
ールなどを表示することが可能になる。更に、ＤＶＤの再生動作を一時停止して、その後
、再び再生動作をさせた場合、停止位置から再び再生を開始させる所謂レジューム機能が
光ディスク再生装置に備えられている。このように光ディスク再生装置では、ＤＶＤから
様々なデータを読み出して、それらの各種機能を実現するための動作を行う。
【０００４】
このような光ディスク再生装置では、各種機能のうちメニュー機能があり、このメニュ
ー機能には、ユーザの選択によって選ばれる操作ボタンをメニュー画面に表示する機能と
、その操作ボタンが選択されたことを示すボタンの色替え機能（ハイライト機能）などが
ある。メニューに関しては、タイトルメニュー、ルートメニュー、オーディオメニュー、
副映像メニュー、アングルメニュー、チャプターメニュー、その他様々なメニューがある
。
【特許文献１】特開２０００−３１１４２０号公報
【特許文献２】特開２００１−３１２８８０号公報
【発明の開示】
【発明が解決しようとする課題】
【０００５】
ところで、メニュー画面をディスプレイ装置に表示させるには、リモコンあるいは本体
の操作部のメニューキーを押下すれば良いが、本編再生中にメニューキーを押下すると、
再生が停止し、その時点のレジューム情報がメモリに格納される。そして、再び、メニュ
ーキーを押下すると、前記メモリに格納されたレジューム情報に基づいて停止位置から引
き続き再生する所謂レジューム再生が行われる。
【０００６】
このように従来から光ディスク再生装置では、本編再生中におけるメニューキーの押下
でメニュー画面に遷移するが、この後、再度のメニューキーの押下で本編再生中だった箇
所に復帰するレジューム機能は、ユーザにはあまり知られていない。したがって、メニュ
ー画面を表示した後、再び続きから再生したい場合に、ユーザが関係のない誤操作を行っ
て、結局レジューム再生ができなくなったり、本編再生中などにメニューキーを押下して
しまった場合に、再度メニューキーを押下すれば良いのを知らないときは、復帰させる操
作が難しくなったりすると言う課題が生じることになる。
【０００７】
特許文献１の従来技術では、停止位置特定データに基づいて停止位置関連情報を含んだ
停止位置メニュー画面を表示すると共に、表示された何れかの停止位置関連情報が選択さ
れた場合には、停止位置特定データに基づいて対応する停止位置から画像および音声の再
生動作を開始するようにしているが、メニューキーを再度押下したときのレジューム再生
については開示されていないので、上記のような課題を解決できるものではない。
【０００８】
特許文献２の従来技術では、ユーザが混同しやすいルートメニューとタイトルメニュー
を一画面内に表示するものであり、この従来技術もメニューキーを再度押下したときのレ
ジューム再生については開示されていないので、上記のような課題を解決できるものでは
ない。
【０００９】
本発明は、上記のような課題を解決するためになされたもので、メニュー画面を表示し
た後、再び続きから再生したい場合に、ユーザが関係のない誤操作を行うようなことを防
止したり、本編再生中などにメニューキーを間違って押下してしまった場合でも、容易に
復帰できるようにする光ディスク再生装置を提供することを目的とする。
【課題を解決するための手段】
【００１０】
上記目的を達成するために、請求項１の発明は、光ディスクに記録された情報を再生す
る光ディスク再生装置において、光ディスクに対する本編情報の再生開始前にディスク情
報に含まれるナビゲーションパック情報を取得して解析し当該光ディスクはレジューム再
生が可能であるか否かを判定するレジューム可能判定手段と、前記レジューム再生が可能
であると判定された場合にレジューム再生が可能であることを示すレジューム可能情報を
記憶手段に記憶させるレジューム可能情報記憶処理手段と、本編再生中にメニューキーが
押下されたときメニュー画面を表示手段に表示させるメニュー画面表示処理手段と、前記
メニューキーの押下の時に前記記憶手段に記憶されたレジューム情報が有るか否かを判定
するレジューム情報有無判定手段と、前記記憶手段にレジューム可能情報が記憶されてお
り当該光ディスクがレジューム再生可能な場合で前記レジューム情報有無判定手段により
レジューム情報が有ると判定された場合に、メニューキーの押下でレジューム再生すると
いう内容のメッセージを前記メニュー画面に表示させるメッセージ表示処理手段と、前記
記憶手段にレジューム可能情報が記憶されておらず当該光ディスクがレジューム再生不可
能な場合で前記レジューム情報有無判定手段によりレジューム情報が無いと判定された場
合は、当該光ディスクはレジューム再生ができないとして所定の処理を行うレジューム不
可処理手段と、前記メッセージ表示処理手段により前記メニュー画面に前記メッセージが
表示された後、前記メニューキーを押下するとレジューム再生を実行させるレジューム再
生手段とを有するシステムコントローラを備えたことを特徴とする光ディスク再生装置を
提供する。
【００１１】
この構成において、光ディスクに対して再生が開始すると、ディスク情報に含まれるナ
ビゲーションパック情報が取得されて解析され、当該光ディスクはレジューム再生が可能
であるか否かがレジューム可能判定手段により判定される。前記レジューム再生が可能で
あると判定された場合は、レジューム再生が可能であることを示すレジューム可能情報が
レジューム可能情報記憶処理手段により記憶手段に記憶される。
【００１２】
そして、本編再生中にメニューキーが押下されると、メニュー画面がメニュー画面表示
処理手段により表示手段に表示され、また、前記メニューキーの押下の時に、記憶手段に
レジューム情報が有るか否かがレジューム情報有無判定手段により判定される。記憶手段
にレジューム可能情報が記憶されており当該光ディスクがレジューム再生可能な場合で、
レジューム情報有無判定手段によりレジューム情報が有ると判定された場合に、メニュー
キーの押下でレジューム再生するという内容のメッセージがメッセージ表示処理手段によ
りメニュー画面に表示される。
【００１３】
記憶手段にレジューム可能情報が記憶されておらず当該光ディスクがレジューム再生不
可能な場合で、レジューム情報有無判定手段によりレジューム情報が無いと判定された場
合は、当該光ディスクはレジューム再生ができないとして所定の処理がレジューム不可処
理手段により行われる。当該光ディスクがレジューム再生不可の場合は、例えば、メニュ
ー画面にレジューム再生が不可を示す禁止マークを表示すれば、ユーザは当該光ディスク
はレジューム再生ができないことが分る。メッセージ表示処理手段によりメニュー画面に
前記メッセージが表示された後、メニューキーを押下すると、レジューム再生がレジュー
ム再生手段により実行される。
【００１４】
この構成によれば、メニューキーを押下すると、再度メニューキーの押下によりレジュ
ーム再生するという内容を示すメッセージがメニュー画面に表示されるので、再び続きか
ら再生したい場合に、ユーザは再度メニューキーを押下すればレジューム再生に入るとい
うことが分かり、これにより、ユーザが関係のない誤操作を行うようなことがなくなり、
また、本編再生中などにメニューキーを間違って押下してしまった場合でも、容易に復帰
でき、また、当該光ディスクがレジューム再生不可の場合は、例えば、メニュー画面にレ
ジューム再生が不可を示す禁止マークを表示すれば、ユーザは当該光ディスクはレジュー
ム再生ができないことが分る。したがって、この構成の光ディスク再生装置は、ユーザに
とっては操作が容易になり、操作性が向上する。
【００１５】
請求項２の発明は、光ディスクに記録された情報を再生する光ディスク再生装置におい
て、レジューム再生が可能な光ディスクの本編再生中にメニューキーを押下した時に、メ
ニューキーの押下でレジューム再生するという内容を示すメッセージをメニュー画面に表
示させる制御を行うシステムコントローラを備えたことを特徴とする光ディスク再生装置
を提供する。
【００１６】
この構成において、レジューム再生が可能な光ディスクの本編再生中に、メニューキー
が押下されると、メニューキーの押下でレジューム再生するという内容を示すメッセージ
がメニュー画面に表示される。
【００１７】
この構成によれば、メニューキーを押下すると、再度メニューキーの押下によりレジュ
ーム再生するという内容を示すメッセージがメニュー画面に表示されるので、再び続きか
ら再生したい場合に、ユーザは再度メニューキーを押下すればレジューム再生に入るとい
うことが分かり、これにより、ユーザが関係のない誤操作を行うようなことがなくなり、
また、本編再生中などにメニューキーを間違って押下してしまった場合でも、容易に復帰
でき、したがって、この構成の光ディスク再生装置は、ユーザにとっては操作が容易にな
り、操作性が向上する。
【００１８】
請求項３の発明では、請求項２の発明において、レジューム再生が可能な光ディスクで
あるかの判定は、ディスク情報に含まれるナビゲーションパック情報に基づいて行うので
、当該光ディスクはレジューム再生が可能であるかどうかが分る。
【００１９】
請求項４の発明では、請求項２の発明において、システムコントローラは、光ディスク
に対する本編情報の再生開始前に、ディスク情報に含まれるナビゲーションパック情報を
取得して解析し当該光ディスクはレジューム再生が可能であるか否かを判定するレジュー
ム可能判定手段と、前記レジューム再生が可能であると判定された場合にレジューム再生
が可能であることを示すレジューム可能情報を記憶手段に記憶させるレジューム可能情報
記憶処理手段と、本編再生中にメニューキーが押下されたときメニュー画面を表示手段に
表示させるメニュー画面表示処理手段と、前記メニューキーの押下の時に前記記憶手段に
記憶されたレジューム情報が有るか否かを判定するレジューム情報有無判定手段と、前記
記憶手段にレジューム可能情報が記憶されており当該光ディスクがレジューム再生可能な
場合で前記レジューム情報有無判定手段によりレジューム情報が有ると判定された場合に
、メニューキーの押下でレジューム再生するという内容のメッセージを前記メニュー画面
に表示させるメッセージ表示処理手段と、このメッセージ表示処理手段により前記メニュ
ー画面に前記メッセージが表示された後、前記メニューキーを押下するとレジューム再生
を実行させるレジューム再生手段とを有するので、メニューキーを押下して、メニュー画
面を表示すると、再度のメニューキーの押下でレジューム再生するという内容を示すメッ
セージがメニュー画面に表示できる。
【００２０】
請求項５の発明では、請求項４の発明において、システムコントローラは、記憶手段に
レジューム可能情報が記憶されておらず当該光ディスクがレジューム再生不可能な場合で
、レジューム情報有無判定手段によりレジューム情報が無いと判定された場合は、当該光
ディスクはレジューム再生ができないとして所定の処理を行うレジューム不可処理手段を
有するので、当該光ディスクがレジューム再生不可の場合は、例えば、メニュー画面にレ
ジューム再生が不可を示す禁止マークを表示すれば、ユーザは当該光ディスクはレジュー
ム再生ができないことが分る。
【発明の効果】
【００２１】
以上のように本発明によれば、レジューム可能判定手段、レジューム可能情報記憶処理
手段、メニュー画面表示処理手段、レジューム情報有無判定手段、メッセージ表示処理手
段、レジューム不可処理手段、およびレジューム再生手段を有するシステムコントローラ
を備えたので、メニューキーを押下すると、再度メニューキーの押下によりレジューム再
生するという内容を示すメッセージがメニュー画面に表示され、再び続きから再生したい
場合に、ユーザは再度メニューキーを押下すればレジューム再生に入るということが分か
り、これにより、ユーザが関係のない誤操作を行うようなことがなくなり、また、本編再
生中などにメニューキーを間違って押下してしまった場合でも、容易に復帰でき、また、
当該光ディスクがレジューム再生不可の場合は、例えば、メニュー画面にレジューム再生
が不可を示す禁止マークを表示すれば、ユーザは当該光ディスクはレジューム再生ができ
ないことが分る。したがって、本発明の光ディスク再生装置は、ユーザにとっては操作が
容易になり、操作性が向上する。
【００２２】
また、本発明によれば、レジューム再生が可能な光ディスクの本編再生中にメニューキ
ーを押下した時に、メニューキーの押下でレジューム再生するという内容を示すメッセー
ジをメニュー画面に表示させる制御を行うシステムコントローラを備えたので、メニュー
キーを押下すると、再度メニューキーの押下によりレジューム再生するという内容を示す
メッセージがメニュー画面に表示され、再び続きから再生したい場合に、ユーザは再度メ
ニューキーを押下すればレジューム再生に入るということが分かり、これにより、ユーザ
が関係のない誤操作を行うようなことがなくなり、また、本編再生中などにメニューキー
を間違って押下してしまった場合でも、容易に復帰でき、したがって、本発明の光ディス
ク再生装置は、ユーザにとっては操作が容易になり、操作性が向上する。
【発明を実施するための最良の形態】
【００２３】
以下、添付図面を参照しつつ、本発明の実施の形態について説明する。図１は本発明の
一実施形態に係る光ディスク再生装置の構成を示すブロック図である。
【００２４】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２５】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２６】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２７】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２８】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２９】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４と、データを一時的に格納するＲＡＭ２５とを備えている。
【００３０】
システムコントローラ２２は、本実施形態の特徴とする構成要素として、光ディスク１
に対する本編情報の再生開始前にディスク情報に含まれるナビゲーションパック情報を取
得して解析し当該光ディスク１はレジューム再生が可能であるか否かを判定するレジュー
ム可能判定手段２２１と、前記レジューム再生が可能であると判定された場合にレジュー
ム再生が可能であることを示すレジューム可能情報をＲＡＭ２５に記憶させるレジューム
可能情報記憶処理手段２２２と、本編再生中にメニューキーが押下されたときメニュー画
面を表示手段に表示させるメニュー画面表示処理手段２２３とを有する。
【００３１】
また、システムコントローラ２２は、前記メニューキーの押下の時にフラッシュＲＯＭ
２３に記憶されたレジューム情報が有るか否かを判定するレジューム情報有無判定手段２
２４と、ＲＡＭ２５にレジューム可能情報が記憶されており当該光ディスク１がレジュー
ム再生可能な場合でレジューム情報有無判定手段２２４によりレジューム情報が有ると判
定された場合に、メニューキーの押下でレジューム再生するという内容のメッセージをデ
ィスプレイ装置２０に表示させるメッセージ表示処理手段２２５とを有する。
【００３２】
また、システムコントローラ２２は、ＲＡＭ２５にレジューム可能情報が記憶されてお
らず当該光ディスク１がレジューム再生不可能な場合でレジューム情報有無判定手段２２
４によりレジューム情報が無いと判定された場合は、当該光ディスク１はレジューム再生
ができないとして所定の処理を行うレジューム不可処理手段２２６と、メッセージ表示処
理手段２２５によりディスプレイ装置２０に前記メッセージが表示された後、前記メニュ
ーキーを押下するとレジューム再生を実行させるレジューム再生手段２２７とを有する。
【００３３】
図２は本実施形態においてタイトルを選択するためのメニュー画面を再生する際の再生
データであるビデオデータを含んでいるＶＯＢ（ビデオオブジェクト）のデータ構造を示
す図である。
【００３４】
図２において、ＶＯＢは複数のセルによって構成されており、各セルは複数のＶＯＢＵ
（ビデオオブジェクトユニット）によって構成されている。各ＶＯＢＵ（ビデオオブジェ
クトユニット）は、ＮＶ＿ＰＣＫ（ナビゲーションパック）と、Ｖ＿ＰＣＫ（ビデオパッ
ク）と、ＳＰ＿ＰＣＫ（サブピクチャパック）と、Ａ＿ＰＣＫ（オーディオパック）との
少なくとも１つを含んでいる。
【００３５】
ＮＶ＿ＰＣＫ（ナビゲーションパック）情報は、ＰＣＩ（再生制御情報）とＤＳＩ（デ
ータサーチ情報）を含んで構成されている。ＰＣＩ（再生制御情報）とＤＳＩ（データサ
ーチ情報）には、ＶＯＢＵ（ビデオオブジェクトユニット）のデータ量、タイトルの再生
を開始してから対応するＶＯＢＵ（ビデオオブジェクトユニット）の再生を開始するまで
の再生時間、次に再生すべきＶＯＢＵ（ビデオオブジェクトユニット）の位置などの情報
が設定されている。なお、ＰＣＩ（再生制御情報）には、当該光ディスクがレジューム再
生可能である場合は、レジューム再生が可能であることを判別するためのレジューム可能
情報も含まれる。
【００３６】
Ｖ＿ＰＣＫ（ビデオパック）と、ＳＰ＿ＰＣＫ（サブピクチャパック）と、Ａ＿ＰＣＫ
（オーディオパック）とは、それぞれ再生データの種別（動画、サブピクチャ、オーディ
オ）などの情報が含まれているパックヘッダ、パケットヘッダや、データ圧縮された圧縮
再生データ（ビデオデータ、サブピクチャデータ、オーディオデータ）を含んで構成され
ている。
【００３７】
図３は本実施形態においてメニュー画面の一例を示す図である。この図３において、３
１はディスプレイ装置２０（図１参照）に表示されるタイトルのメニュー画面、３２は「
メニューキーを押し下げて続きから再生を開始します。」と言うメッセージが表示されて
いる領域を示す。また、メニュー画面３１には、チャプターの選択を行うための「チャプ
ターセレクション」、音声やサブタイトルを設定するための「オーディオ／サブタイトル
設定」、メイキングなどがされている映像を再生するための「特典映像」、本編を再生す
るための「本編再生」などの項目が表示されている。これらの表示例は一例であるので、
これに限ることはない。
【００３８】
図４は本実施形態においてメニューキーに関連する処理を説明するためのフローチャー
トである。このフローチャートを参照してメニューキーに関連する処理を説明する。
【００３９】
光ディスク再生装置に光ディスク１を挿入し、操作部２１の再生キーを押下して、再生
が開始すると（ステップＳ１）、図２で説明したナビゲーションパック情報が取得されて
（ステップＳ２）解析され（ステップＳ３）、当該光ディスク１はレジューム再生が可能
であるか否かがレジューム可能判定手段２２１により判定される（ステップＳ４）。前記
レジューム再生が可能であると判定された場合は、レジューム再生が可能であることを示
すレジューム可能情報がレジューム可能情報記憶処理手段２２２によりＲＡＭ２５に記憶
される（ステップＳ５）。
【００４０】
そして、本編が再生され（ステップＳ６）、本編再生中に操作部２１のメニューキーが
押下されると（ステップＳ７）、再生が停止され、その時のレジューム情報がＲＡＭ２５
に記憶され、また、メニュー画面がメニュー画面表示処理手段２２３によりディスプレイ
装置２０に表示される（ステップＳ８）。
【００４１】
次に、前記メニューキーの押下の時に記憶されたレジューム情報が、ＲＡＭ２５に有る
か否かがレジューム情報有無判定手段２２４により判定される（ステップＳ９）。ＲＡＭ
２５にレジューム可能情報が記憶されており、当該光ディスク１がレジューム再生可能な
場合で、レジューム情報有無判定手段２２４によりレジューム情報が有ると判定された場
合に、例えば、図４におけるメニュー画面３１の領域３２に示すように、「メニューキー
押し下げて続きから再生を開始します。」というようなメッセージがメッセージ表示処理
手段２２５によりＯＳＤ表示される（ステップＳ１０）。
【００４２】
そして、そのメッセージに従って、ユーザによりメニューキーが押下されると（ステッ
プＳ１１）、前回メニューキーが押下されて停止した再生位置から再生を始める所謂レジ
ューム再生がレジューム再生手段２２７により行われ（ステップＳ１２）、この再生が終
了すると（ステップＳ１３）、本処理が終わる。なお、このレジューム再生中に、再びメ
ニューキーが押下されると、ステップＳ７の処理によりメニューキーの押下が検出され、
以下同様な処理が行われる。
【００４３】
ＲＡＭ２５にレジューム可能情報が記憶されておらず当該光ディスク１がレジューム再
生不可能な場合で、レジューム情報有無判定手段２２４によりレジューム情報が無いと判
定された場合は（ステップＳ９）、当該光ディスク１はレジューム再生ができないとして
所定の処理がレジューム不可処理手段２２６により行われる。当該光ディスク１がレジュ
ーム再生不可の場合は、例えば、メニュー画面にレジューム再生が不可を示す禁止マーク
を表示したり、あるいはレジュームに関する処理に対して無効処理を行ったりする（ステ
ップＳ１４）。
【００４４】
以上説明したように本実施形態によれば、メニューキーを押下すると、再度メニューキ
ーの押下によりレジューム再生するという内容を示すメッセージがメニュー画面に表示さ
れるので、再び続きから再生したい場合に、ユーザは再度メニューキーを押下すればレジ
ューム再生に入るということが分かり、これにより、ユーザが関係のない誤操作を行うよ
うなことがなくなり、また、本編再生中などにメニューキーを間違って押下してしまった
場合でも、容易に復帰でき、また、当該光ディスクがレジューム再生不可の場合は、例え
ば、メニュー画面にレジューム再生が不可を示す禁止マークを表示すれば、ユーザは当該
光ディスクはレジューム再生ができないことが分る。したがって、この構成の光ディスク
再生装置は、ユーザにとっては操作が容易になり、操作性が向上する。
【図面の簡単な説明】
【００４５】
【図１】本発明の一実施形態に係る光ディスク再生装置の構成を示すブロック図である。
【図２】前記実施形態においてタイトルを選択するためのメニュー画面を再生する際の再生データであるビデオデータを含んでいるＶＯＢ（ビデオオブジェクト）のデータ構造を示す図である。
【図３】前記実施形態においてメニュー画面の一例を示す図である。
【図４】前記実施形態においてメニューキーに関連する処理を説明するためのフローチャートである。
【符号の説明】
【００４６】
１    光ディスク
２２    システムコントローラ
２５    ＲＡＭ（記憶手段）
２２１    レジューム可能判定手段
２２２    レジューム可能情報記憶処理手段
２２３    メニュー画面表示処理手段
２２４    レジューム情報有無判定手段
２２５    メッセージ表示処理手段
２２６    レジューム不可処理手段
２２７    レジューム再生手段
【図１】
2005203060.tif 000003
【図２】
2005203060.tif 000004
【図３】
2005203060.tif 000005
【図４】
2005203060.tif 000006